【手続補正書】
【提出日】平成19年9月12日(2007.9.12)
【手続補正１】
【補正対象書類名】特許請求の範囲
【補正対象項目名】全文
【補正方法】変更
【補正の内容】
【特許請求の範囲】
【請求項１】
クライアント内の少なくとも１つのクライアントレジスタから読み取るための通信システム内のホストに関する方法であって、この方法は、
ホストによりクライアントへクライアント内の少なくとも１つのクライアントレジスタを読み取るための要求を含む第１のレジスタアクセスパケットを送信し、
ホストによりクライアントへ逆方向カプセル化パケットを送信し、
逆方向カプセル化パケットの逆データ期間の間においてクライアントによりホストへ第２のレジスタアクセスパケットを伝送し、そして
クライアントによって伝送される第２のレジスタアクセスパケット内に、少なくとも１つのクライアントレジスタから、レジスタデータを送信する
ステップを含む方法。
【請求項２】
クライアント内の少なくとも１つのクライアントレジスタから読み取るための通信システム内のホストに関するシステムであって、このシステムは、
ホストによりクライアントへクライアント内の少なくとも１つのクライアントレジスタを読み取るための要求を含む第１のレジスタアクセスパケットを送信する手段と、
ホストによりクライアントへ逆方向カプセル化パケットを送信する手段と、
逆方向カプセル化パケットの逆データ期間の間においてクライアントによりホストへ第２のレジスタアクセスパケットを伝送する手段と、そして
クライアントによって伝送される第２のレジスタアクセスパケット内に、少なくとも１つのクライアントレジスタからレジスタデータを送信する手段と
を含むシステム。
【請求項３】
コンピュータ読み取り可能媒体を含むコンピュータプログラム製品であって、この媒体は、
通信システム内のホストに、クライアント内の少なくとも１つのクライアントレジスタから、読み取りをさせるためのコードを含み、
クライアント内の少なくとも１つのクライアントレジスタを読み取るための要求を含む第１のレジスタアクセスパケットがホストによりクライアントへ送信されるようにするコードと、
ホストによりクライアントへ逆方向カプセル化パケットが送信されるようにするコードと、
逆方向カプセル化パケットの逆方向データ期間の間に、クライアントによりホストへ第２のレジスタアクセスパケットが伝送されるようにするコードと、そして
クライアントによって伝送される第２のレジスタアクセスパケット内に、少なくとも１つのクライアントレジスタからレジスタデータが伝送されるようにするコードと
を含むコンピュータプログラム製品。
【請求項４】
通信システム内のクライアントがホスト内の少なくとも１つのホストレジスタから読み取るための方法であって、この方法は、
ホストによりクライアントへ、逆方向カプセル化パケットを送信し、
逆方向カプセル化パケットの逆方向データ期間の間に、少なくとも１つのホストレジスタを読み取るための要求を含む第１のレジスタアクセスパケットをクライアントによりホストへ伝送し、
ホストによりクライアントへ、少なくとも１つのホストレジスタを読み取るための要求に対する応答を含む第２のレジスタアクセスパケットを伝送し、そして
ホストによって伝送される第２のレジスタアクセスパケット内に、少なくとも１つのホストレジスタからレジスタデータを伝送する
ステップを含む方法。
【請求項５】
通信システムにおいてホスト内の少なくとも１つのホストレジスタから読み取るためのクライアントに関するシステムであって、このシステムは、
逆方向カプセル化パケットをホストによりクライアントへ送信する手段と、
逆方向カプセル化パケットの逆方向データ期間の間に、少なくとも１つのホストレジスタにおいて読み取るための要求を含む第１のレジスタアクセスパケットをクライアントによりホストへ伝送する手段と、
少なくとも１つのホストレジスタにおいて読み取るための要求に対する応答を含む第２のレジスタアクセスパケットをホストによりクライアントへ伝送する手段と、そして
ホストによって伝送される第２のレジスタアクセスパケット内に、少なくとも１つのホストレジスタからレジスタデータを伝送する手段と、
を含むシステム。
【請求項６】
コンピュータ読み取り可能媒体を含むコンピュータプログラム製品であって、この媒体は
通信システムにおけるクライアントに、ホスト内の少なくとも１つのホストレジスタから読み取りをさせるコードを含み、
逆方向カプセル化パケットがホストによりクライアントへ送信されるようにするコードと、
逆方向カプセル化パケットの逆方向データ期間の間に、少なくとも１つのホストレジスタを読み取るための要求を含む第１のレジスタアクセスパケットがクライアントによりホストへ伝送されるようにするコードと、
少なくとも１つのホストレジスタを読み取るための要求に対する応答を含む第２のレジスタアクセスパケットがホストによりクライアントへ伝送されるようにするコードと、
ホストにより伝送される第２のレジスタアクセスパケット内に少なくとも１つのホストレジスタからレジスタデータが伝送されるようにするコードと
を含むコンピュータプログラム製品。
【請求項７】
ホスト内の少なくとも１つのレジスタに書き込むための通信システム内のクライアントに関する方法であって、この方法は
ホストによりクライアントへ逆方向カプセル化パケットを送信し、
逆方向カプセル化パケットの逆方向データ期間の間に、クライアントによりホストへ、ホスト内の少なくとも１つのレジスタに書き込むことを含むレジスタアクセスパケットを伝送し、そして
ホスト内の少なくとも１つのレジスタに書き込まれるようにレジスタアクセスパケット内にレジスタデータを伝送する
ステップを含む方法。
【請求項８】
ホスト内の少なくとも１つのレジスタに書き込むための通信システム内のクライアントに関するシステムであって、このシステムは、
ホストによりクライアントへ逆方向カプセル化パケットを送信する手段と、
逆方向カプセル化パケットの逆方向データ期間の間に、クライアントによりホストへ、ホスト内の少なくとも１つのレジスタに書き込むことを含むレジスタアクセスパケットを伝送する手段と、そして
ホスト内の少なくとも１つのレジスタに書き込まれるようにレジスタアクセスパケット内にレジスタデータを伝送する手段と
を含むシステム。
【請求項９】
コンピュータ読み取り可能媒体を含むコンピュータプログラム製品であって、この媒体は
通信システム内のクライアントがホスト内の少なくとも１つのレジスタに書き込みをするようにさせるコードを含み、
逆方向カプセル化パケットがホストによりクライアントへ送信されるようにするコードと、
逆方向カプセル化パケットの逆方向データ期間の間に、ホスト内の少なくとも１つのレジスタに書き込むことを含むレジスタアクセスパケットがクライアントによりホストへ伝送されるようにするコードと、
レジスタデータがレジスタアクセスパケット内に伝送されホスト内の少なくとも１つのレジスタに書き込まれるようにするコードと、
を含むコンピュータプログラム製品。
【請求項１０】
クライアント内の少なくとも１つのレジスタに書き込みをするための通信システム内のホストに関する方法であって、この方法は、
クライアント内の少なくとも１つのレジスタに書き込むことを含むレジスタアクセスパケットをホストによりクライアントへ伝送し、そして
クライアント内の少なくとも１つのレジスタに書き込まれるレジスタアクセスパケット内にレジスタデータを伝送する
ステップを含む方法。
【請求項１１】
クライアント内の少なくとも１つのレジスタに書き込むための通信システム内のホストに関するシステムであって、このシステムは、
クライアント内の少なくとも１つのレジスタに書き込むことを含むレジスタアクセスパケットをホストによりクライアントへ伝送する手段と、そして
クライアント内の少なくとも１つのレジスタに書き込まれるレジスタアクセスパケット内にレジスタデータを伝送する手段と
を含むシステム。
【請求項１２】
コンピュータ読み取り可能媒体を含むコンピュータプログラム製品であって、この媒体は
通信システム内のホストがクライアント内の少なくとも１つのレジスタに書き込みをするようにさせるコードを含み、
クライアント内の少なくとも１つのレジスタに書き込むことを含むレジスタアクセスパケットがホストによりクライアントへ伝送されるようにするコードと、そして
クライアント内の少なくとも１つのレジスタに書き込まれるレジスタアクセスパケット内にレジスタデータが伝送されるようにするコードと
を含むコンピュータプログラム製品。
【請求項１３】
ＭＤＤＩ通信システム内のクライアントからの応答をアドレスしそして識別する方法であって、この方法は、
クライアントによりホストへ伝送されるデータパケットにクライアントＩＤフィールドを挿入し、
データパケットを復号しそしてＩＤを評価し、そして
評価されたＩＤが有効であるとされる場合、応答について処置を講ずる
ステップを含む方法。
【請求項１４】
ＩＤが有効でない場合、この応答を無視するステップをさらに含む請求項１３記載の方法。
【請求項１５】
ＭＤＤＩ通信システム内のクライアントからの応答をアドレスしそして識別する方法であって、このシステムは、
クライアントによりホストへ伝送されるデータパケットにクライアントＩＤフィールドを挿入する手段と、
データパケットを復号しそしてＩＤを評価する手段と、そして
評価されたＩＤが有効であるとされた場合、応答について処置を講ずる手段と
を有するシステム。
【請求項１６】
ＩＤが有効でない場合、この応答を無視する手段をさらに含む請求項１５記載のシステム。
【請求項１７】
コンピュータ読み取り可能媒体を含むコンピュータプログラム製品であって、この媒体は
ＭＤＤＩ通信システム内のクライアントからの応答がアドレスされそして識別されるようにするコードを含み、
クライアントによりホストへ伝送されるデータパケットにクライアントＩＤフィールドが挿入されるようにするコードと、
データパケットが復号されそしてＩＤが評価されるようにするコードと、そして
評価されたＩＤが有効であるとされた場合、応答について処置が講じられるようにするコードと
を含むコンピュータプログラム製品。
【請求項１８】
ＩＤが有効でない場合、この応答が無視されるようにするコードをさらに含む請求項１７記載のコンピュータプログラム製品。
【請求項１９】
ＭＤＤＩ通信システム内のクライアントからの応答をアドレスしそして識別する装置であって、この装置は、
クライアントによりホストへ伝送されるデータパケットに挿入するためのクライアントＩＤフィールドを含み、
データパケットはＩＤに関する復号部そして評価部をさらに含み、そして
評価されたＩＤが有効であるとされた場合、応答について処置を講ずるインジケータを含む装置。
【請求項２０】
ＭＤＤＩデータパケットストリーム内のビデオデータファイルの連続する行を識別する方法であって、この方法は
ビデオウインドウの次の連続する行として、ピクセルデータフィールドのコンテンツを識別するために、ビデオストリームパケットのピクセルデータ属性フィールドのビット５を１レベルに設定し、そして
ビデオストリームパケット内の定義されていないパラメータを無視する
ステップを含む方法。
【請求項２１】
ビデオウインドウにおけるビデオデータの最後の行ではないいずれかの行に対応するビデオデータの行を有するピクセルデータ属性フィールドを識別することを含む、ＭＤＤＩデータパケットストリームのピクセルデータ属性フィールドのビット１５を０レベルに設定するステップをさらに含む請求項２０記載の方法。
【請求項２２】
ビデオウインドウの最後の行を識別するため、ピクセルデータ属性フィールドのビット１５をレベル１に設定するステップをさらに含む請求項２０記載の方法。
【請求項２３】
ＭＤＤＩデータパケットストリーム内のビデオデータファイルの連続する行を識別するシステムであって、このシステムは
ビデオウインドウの次の連続する行として、ピクセルデータフィールドのコンテンツを識別するために、ビデオストリームパケットのピクセルデータ属性フィールドのビット５を１レベルに設定する手段と、そして
ビデオストリームパケット内の定義されていないパラメータを無視する手段と
を含むシステム。
【請求項２４】
さらに、ビデオウインドウにおけるビデオデータの最後の行ではないがいずれかの行に対応するビデオデータの行を有するピクセルデータ属性フィールドを識別する手段を含み、ＭＤＤＩデータパケットストリームのピクセルデータ属性フィールドのビット１５を０レベルに設定する手段を含む請求項２３記載のシステム。
【請求項２５】
ビデオウインドウの最後の行を識別するため、ピクセルデータ属性フィールドのビット１５を１レベルに設定する手段をさらに含む請求項２３記載のシステム。
【請求項２６】
コンピュータ読み取り可能媒体を含むコンピュータプログラム製品であって、この媒体は
ＭＤＤＩデータパケットストリーム内においてビデオデータファイルの連続する行が識別されるようにするコードを含み、
ビデオウインドウの次の連続する行として、ピクセルデータフィールドのコンテンツを識別するために、ビデオストリームパケットのピクセルデータ属性フィールドのビット５が１レベルに設定されるようにするコードと、そして
ビデオストリームパケット内で定義されていないパラメータが無視されるようにするコードと
を含むコンピュータプログラム製品。
【請求項２７】
さらに、ＭＤＤＩデータパケットストリームのピクセルデータ属性フィールドのビット１５が０レベルに設定されるようにするコードを含み、ビデオウインドウにおけるビデオデータの最後の行ではないいずれかの行に対応するビデオデータの行を有するピクセルデータ属性フィールドを識別することを含む請求項２６記載のコンピュータプログラム製品。
【請求項２８】
ビデオウインドウの最後の行を識別するため、ピクセルデータ属性フィールドのビット１５を１レベルに設定されるようにするコードをさらに含む請求項２６記載のコンピュータプログラム製品。
【請求項２９】
クライアントデバイス内の少なくとも１つの機能のステータスを要求しそして報告する方法であって、この方法は
少なくとも１つの機能の各機能に関する機能ＩＤを含む要求特定ステータスパケットをホストからクライアントデバイスへ送信し、
逆方向カプセル化パケットをホストによりクライアントへ送信し、
クライアントデバイスにより機能ＩＤに対応する機能ステータスデータを含む応答ステータスパケットをフォーマットし、そして
クライアントデバイスによりホストへ少なくとも１つの応答ステータスパケット内の応答を伝送する
ステップを含む方法。
【請求項３０】
クライアントデバイス内の少なくとも１つの機能のステータスを要求しそして報告するシステムであって、このシステムは
少なくとも１つの機能の各機能に関する機能ＩＤを含む要求特定ステータスパケットをホストからクライアントデバイスへ送信する手段と、
逆方向カプセル化パケットをホストによりクライアントに送信する手段と、
クライアントデバイスにより機能ＩＤに対応する機能ステータスデータを含む応答ステータスパケットをフォーマットする手段と、そして
クライアントデバイスによりホストへ少なくとも１つの応答ステータスパケット内の応答を伝送する手段と
を含むシステム。
【請求項３１】
コンピュータ読み取り可能媒体を含むコンピュータプログラム製品であって、この媒体は
クライアントデバイス内の少なくとも１つの機能のステータスが要求されそして報告されるようにするコードと、
少なくとも１つの機能の各機能に関する機能ＩＤを含む要求特定ステータスパケットがホストからクライアントデバイスへ送信されるようにするコードと、
逆方向カプセル化パケットがホストによりクライアントに送信されるようにするコードと、
クライアントデバイスにより機能ＩＤに対応する機能ステータスデータを含む応答ステータスパケットがフォーマットされるようにするコードと、そして
クライアントデバイスによりホストへ少なくとも１つの応答ステータスパケット内の応答が伝送されるようにするコードと
を含むコンピュータプログラム製品。
【請求項３２】
ＭＤＤＩ通信システムにおけるフレーム同期パケットを介して同時に起こる等時性データストリームに関するマルチメディア同期を提供する方法であって、この方法は、
ホストからクライアントへフレーム同期パケットを送信し、
フレーム構造内で予め定められたサイズを有するデータストリームのブロックをグループ化し、
クライアントによりフレーム同期パケットが受信されるとマルチメディアコンテンツを整列させ、そして
マルチメディアコンテンツを提示する
ステップを含む方法。
【請求項３３】
クライアントは、ビデオフレームレートを生成する時間基準として複数のフレーム同期パケットの到着のレートを、そして受信されたマルチメディアコンテンツに関して音声サンプルレートクロックを使用する請求項３２記載の方法。
【請求項３４】
予め定められた時間間隔の後、請求項４０のステップを繰り返すステップをさらに含む請求項３２記載の方法。
【請求項３５】
ＭＤＤＩ通信システムにおいてフレーム同期パケットを介して同時に起こる等時性データストリームに関するマルチメディア同期を提供するシステムであって、このシステムは、
ホストからクライアントへフレーム同期パケットを送信する手段と、
フレーム構造内で予め定められたサイズを有するデータストリームのブロックをグループ化する手段と、
クライアントによりフレーム同期パケットが受信されるとマルチメディアコンテンツを整列させる手段と、そして
マルチメディアコンテンツを提示する手段と
を含むシステム。
【請求項３６】
クライアントは、ビデオフレームレートを生成する手段に関する時間基準として複数のフレーム同期パケットの到着のレートを、そして受信されたマルチメディアコンテンツに関して音声サンプルレートクロックを使用する請求項３５記載のシステム。
【請求項３７】
コンピュータ読み取り可能媒体を含むコンピュータプログラム製品であって、この媒体は
ＭＤＤＩ通信システムにおけるフレーム同期パケットを介して同時に起こる等時性データストリームに関するマルチメディア同期を生じさせるコードを含み、
ホストからクライアントにフレーム同期パケットが送信されるようにするコードと、
データストリームのブロックがグループ化されるようにし、そしてフレーム構造内で予め定められたサイズを有するコードと、
クライアントによりフレーム同期パケットが受信されるとマルチメディアコンテンツが整列させられるようにするコードと、そして
マルチメディアコンテンツが提示されるようにするコードと
を含むコンピュータプログラム製品。
【請求項３８】
クライアントがビデオフレームレートを生成する時間基準として複数のフレーム同期パケットの到着のレートを、そして受信されたマルチメディアコンテンツに関して音声サンプルレートクロックを使用するようにするコードをさらに含む請求項３７記載のコンピュータプログラム製品。
【請求項３９】
ＭＤＤＩ通信システムにおいてフレーム同期パケットを介して同時に起こる等時性データストリームに関するマルチメディア同期を提供する装置であって、この装置は、
ホストからクライアントへ送信するフレーム同期パケットと、
グループにおけるフレーム構造内に予め定められたサイズを有するデータストリームのブロックと、
クライアントによりフレーム同期パケットが受信されると整列させられるマルチメディアコンテンツと、
マルチメディアコンテンツを提示する提示装置と
を含む装置。
【請求項４０】
クライアントはビデオフレームレートを生成する時間基準として複数のフレーム同期パケットの到着のレートを、そして受信されたマルチメディアコンテンツに関して音声サンプルレートクロックを使用する請求項３９記載の装置。